(57)【要約】【課題】ノイズの共振を防ぐことができ、小型で安価なノイズフィルタを提供する。【解決手段】４枚の磁性体シート２ａ〜２ｄを積層すると共に、これらを焼成して積層体２を形成する。また、磁性体シート２ｂ，２ｃ間には積層体２の長さ方向に直線状に延びる伝送線路３を形成すると共に、２枚の接地導体４によって磁性体シート２ｂ，２ｃを挟む。さらに、積層体２の長さ方向両端側には伝送線路３の両端に接続された信号用電極を設け、長さ方向中間位置には接地導体４に接続された接地用電極を設ける。これにより、接地導体４を接地した状態で伝送線路３に信号を通過させることにより、高周波数のノイズを磁性体シート２ａ〜２ｄによる熱損失を用いて減衰することができる。【選択図】　　　　図２
2004048090.tif 000002
【特許請求の範囲】
【請求項１】
重なり合う２枚の磁性体シートを有し、該２枚の磁性体シート間に伝送線路を配設し、前記２枚の磁性体シートを２枚の接地導体によって上，下から挟む構成としてなるノイズフィルタ。
【請求項２】
重なり合う複数枚の磁性体シートを有し、これら各磁性体シートの最上層と最下層とに接地導体を配置する状態で、前記各磁性体シート間に伝送線路と接地導体とを交互に積み重ね、複数層の伝送線路を前記各磁性体シートを貫通して設けた貫通線路によって直列接続する構成としてなるノイズフィルタ。
【請求項３】
前記伝送線路は折返し部を有する略円弧状またはコ字状をなし、これらの全体によって厚さ方向に対してコイル状に形成してなる請求項２に記載のノイズフィルタ。
【請求項４】
前記伝送線路は蛇行したジグザグ状に形成してなる請求項１または２に記載のノイズフィルタ。
【請求項５】
前記磁性体シートは四角状に形成し、該磁性体シートの長さ方向両端側には前記伝送線路の両端に接続された信号用電極を設け、該磁性体シートの長さ方向中間位置には前記接地導体に接続された接地用電極を設けてなる請求項１，２，３または４に記載のノイズフィルタ。
【請求項６】
重なり合う複数枚の磁性体シートを有し、これら各磁性体シートの最上層と最下層とに接地導体を配置する状態で、前記各磁性体シート間に伝送線路と接地導体とを交互に積み重ね、複数層の伝送線路の一端側は互いに異なる信号入力用電極に接続し、複数層の伝送線路の他端側は互いに異なる信号出力用電極に接続する構成としてなるノイズフィルタ。
【請求項７】
前記伝送線路は蛇行したジグザグ状に形成してなる請求項６に記載のノイズフィルタ。
【請求項８】
前記伝送線路は渦巻き状に形成してなる請求項６に記載のノイズフィルタ。
【請求項９】
前記複数層の伝送線路は互いに異なる特性インピーダンスを有する構成としてなる請求項６，７または８に記載のノイズフィルタ。
【請求項１０】
遮断周波数が２００ＭＨｚから２ＧＨｚの範囲にあり、前記磁性体シートの比透磁率をμｒ、前記伝送線路の長さ寸法をＬ［ｍｍ］としたときに、４≦μｒ≦３０の範囲にあり、Ｌ／√（μｒ−１）≧３ｍｍに設定してなる請求項１，２，３，４，５，６，７，８または９に記載のノイズフィルタ。
【請求項１１】
磁性体シートと、該磁性体シートの表面に形成された伝送線路と、前記磁性体シートの裏面に形成され該伝送線路を裏面側から全長に亘って覆う接地導体とによって構成としてなるノイズフィルタ。
【請求項１２】
前記伝送線路は渦巻き状に形成してなる請求項１１に記載のノイズフィルタ。
【請求項１３】
前記伝送線路は蛇行したジグザグ状に形成してなる請求項１１に記載のノイズフィルタ。
【請求項１４】
前記磁性体シートは四角状に形成し、該磁性体シートの長さ方向両端側には前記伝送線路の両端に接続された信号用電極を設け、該磁性体シートの長さ方向中間位置には前記接地導体に接続された接地用電極を設けてなる請求項１１，１２または１３に記載のノイズフィルタ。
【請求項１５】
前記接地導体の厚さ寸法は前記伝送線路の厚さ寸法よりも薄く形成してなる請求項１，２，３，４，５，６，７，８，９，１０，１１，１２，１３または１４に記載のノイズフィルタ。
【請求項１６】
前記磁性体シートは磁性特性をもったセラミックス材料によって形成してなる請求項１，２，３，４，５，６，７，８，９，１０，１１，１２，１３，１４または１５に記載のノイズフィルタ。
【請求項１７】
前記磁性体シートは焼結したフェライトによって形成してなる請求項１，２，３，４，５，６，７，８，９，１０，１１，１２，１３，１４または１５に記載のノイズフィルタ。
【請求項１８】
前記磁性体シートは磁性粉を混入した樹脂材料によって形成してなる請求項１，２，３，４，５，６，７，８，９，１０，１１，１２，１３，１４または１５に記載のノイズフィルタ。
【発明の詳細な説明】
【０００１】
【発明の属する技術分野】
本発明は、電子機器の電磁雑音障害を抑制するのに用いて好適なノイズフィルタに関する。
【０００２】
【従来の技術】
一般に、電子機器の電磁雑音障害を抑制するために各種のノイズフィルタが用いられている。そして、従来技術によるノイズフィルタとして例えば３端子コンデンサのように集中定数による回路を形成したものが知られている（例えば、特開平１０−１５４６３２号公報等）。このような従来技術によるノイズフィルタでは、雑音（ノイズ）となる周波数で反射係数を増大させる反射損失を用いてノイズの抑制を行っている。
【０００３】
また、他の従来技術によるノイズフィルタとして、多数のインダクタ、キャパシタ等からなる回路を形成したものも知られている（例えば、特開２０００−３４８９４４号公報等）。
【０００４】
【発明が解決しようとする課題】
ところで、上述した従来技術では、反射損失によってノイズを抑制しているから、例えば回路間を接続する線路中にノイズフィルタを配設した場合、ノイズフィルタと周辺の回路との間で特定の周波数のノイズが共振することがあり、却ってノイズを増幅してしまうという問題があった。
【０００５】
特に、近年はデジタル機器に用いる信号周波数が高周波化する傾向があり、信号周波数が１００ＭＨｚを超えている電子機器が増加している。このため、遮断周波数が２００ＭＨｚ以上であるローパスフィルタが求められているのに対し、例えばノイズフィルタと周囲の部品との間の線路長や複数の部品間の線路長等が２００ＭＨｚ以上の高周波の信号（ノイズ）に対して共振し易い長さ寸法となっている。従って、信号周波数が１００ＭＨｚを超えている電子機器には、従来技術のように反射損失を用いるノイズフィルタは使用し難い傾向があった。
【０００６】
また、他の従来技術では、反射損失を低下させることによって共振現象を抑制している。しかし、他の従来技術によるノイズフィルタでは、多数のインダクタ、キャパシタ等を接続することによって回路を構成しているから、構造が複雑で小型化が難しく、製造コストが増大すると共に、チップ形状ではないためプリント配線に対して取り付け難いという問題があった。
【０００７】
本発明は上述した従来技術の問題に鑑みなされたもので、本発明の目的は、ノイズの共振を防ぐことができ、小型で安価なノイズフィルタを提供することにある。
【０００８】
【課題を解決するための手段】
上述した課題を解決するために、請求項１の発明によるノイズフィルタは、重なり合う２枚の磁性体シートを有し、該２枚の磁性体シート間に伝送線路を配設し、前記２枚の磁性体シートを２枚の接地導体によって上，下から挟む構成としている。
【０００９】
このように構成したことにより、磁性体シートを構成する磁性材料は伝送線路を通過する信号の周波数が高くなるに従って信号の熱損失が増大するから、このような熱損失を用いることによってノイズを抑制することができる。
【００１０】
また、伝送線路の幅寸法、磁性体シートの厚さ寸法を適宜設定することによって、ノイズフィルタの特性インピーダンスを設定することができる。特に、磁性材料の比誘電率は信号の周波数に関係なくほぼ一定値となるから、この特性インピーダンスを信号の周波数に依らずほぼ一定値に保持することができる。このため、ほぼ全ての周波数領域についてノイズフィルタに接続される回路に対するインピーダンス整合を取ることができ、ノイズフィルタの反射損失を低下させることができる。
【００１１】
さらに、２枚の磁性体シート間に伝送線路を配設すると共に、当該２枚の磁性体シートを２枚の接地導体によって挟むから、接地導体によって２枚の磁性体シート間に位置する伝送線路をその全長に亘って覆うことができる。このため、伝送線路の全長に亘って特性インピーダンスを一定値に設定できるから、伝送線路の途中でノイズに反射が生じることがなく、ノイズの共振を抑制することができる。また、伝送線路を通過する信号を２枚の接地導体間に閉じ込めることができ、通過帯域での信号の減衰を防止できると共に、外部から伝送線路中にノイズが混入するのを防ぐことができ、信号を確実に伝達することができる。
【００１２】
請求項２の発明は、重なり合う複数枚の磁性体シートを有し、これら各磁性体シートの最上層と最下層とに接地導体を配置する状態で、前記各磁性体シート間に伝送線路と当該接地導体とを交互に積み重ね、複数層の伝送線路を前記各磁性体シートを貫通して設けた貫通線路によって直列接続する構成としている。
【００１３】
これにより、高周波数の信号が伝送線路を通過するときには、磁性体シートの熱損失が増大するのを利用してノイズを抑制することができる。また、伝送線路の幅寸法、磁性体シートの厚さ寸法を適宜設定することによって、ノイズフィルタの特性インピーダンスを設定できる。特に、磁性材料の比誘電率は信号の周波数に関係なくほぼ一定値となるから、ほぼ全ての周波数領域についてノイズフィルタと該ノイズフィルタに接続される回路との間でインピーダンス整合を取ることができ、ノイズフィルタの反射損失を低下させることができる。
【００１４】
さらに、重なり合う複数枚の磁性体シートの最上層と最下層とに接地導体を配置する状態で、前記各磁性体シート間に伝送線路と接地導体とを交互に積み重ねたから、各層の伝送線路を２枚の磁性体シート間に配置できると共に、２枚の接地導体によって各層の伝送線路をその全長に亘って覆うことができる。このため、伝送線路を通過する信号を接地導体間に閉じ込めることができ、通過帯域での信号の減衰を防止できる。
【００１５】
また、重なり合う複数枚の磁性体シートはその最上層と最下層とに接地導体を配置するから、外部からの伝送線路中にノイズが混入するのを防ぐことができ、信号を確実に伝達することができる。
【００１６】
また、全ての伝送線路の幅寸法をほぼ等しい値に設定すると共に、全ての磁性体シートの厚さ寸法をほぼ等しい値に設定した場合には、各層の伝送線路に対する特性インピーダンスを相互にほぼ一致させることができる。このため、相互に直列接続された伝送線路の全体に亘って特性インピーダンスをほぼ一定値に設定できるから、伝送線路の途中でノイズに反射が生じることがなく、ノイズの共振を抑制することができ、外部の回路とのインピーダンス整合を容易に取ることができる。
【００１７】
さらに、各磁性体シートを貫通して設けた貫通線路によって複数層の伝送線路を直列接続したから、伝送線路の全長を長くすることができ、伝送線路を通過するノイズの減衰量を増加させることができる。
【００１８】
請求項３の発明は、伝送線路は折返し部を有する略円弧状またはコ字状をなし、これらの全体によって厚さ方向に対してコイル状に形成したことにある。
【００１９】
これにより、ノイズフィルタの厚さ寸法は増大する傾向があるものの、ノイズフィルタの底面積をコイルの開口面積と同程度に設定することができる。このため、狭い設置場所に対してもノイズフィルタを配置することができる。
【００２０】
請求項４の発明は、伝送線路を蛇行したジグザグ状に形成したことにある。これにより、伝送線路を直線状に形成した場合に比べて、その長さ寸法を増加させることができ、ノイズの減衰量を増加させることができる。
【００２１】
請求項５の発明は、磁性体シートは四角状に形成し、該磁性体シートの長さ方向両端側には前記伝送線路の両端に接続された信号用電極を設け、該磁性体シートの長さ方向中間位置には前記接地導体に接続された接地用電極を設ける構成としたことにある。
【００２２】
これにより、２つの回路間を接続する配線は直線状に延びているから、このような配線の途中に対して、磁性体シートの長さ方向両端側に位置する信号用電極を容易に接続することができる。また、磁性体シートの長さ方向中間位置に設けられた接地用電極も配線の周辺に設けられた接地端子に容易に接続することができるから、ノイズフィルタの組付け性を向上することができる。
【００２３】
請求項６の発明は、重なり合う複数枚の磁性体シートを有し、これら各磁性体シートの最上層と最下層とに接地導体を配置する状態で、前記各磁性体シート間に伝送線路と接地導体とを交互に積み重ね、複数層の伝送線路の一端側は互いに異なる信号入力用電極に接続し、複数層の伝送線路の他端側は互いに異なる信号出力用電極に接続する構成としている。
【００２４】
これにより、複数層の伝送線路は互いに異なる信号入力用電極、信号出力用電極に接続するから、複数層の伝送線路をそれぞれ個別にローパスフィルタとして作動させることができ、全体としてノイズフィルタアレイを構成することができる。そして、高周波数の信号が各層の伝送線路を通過するときには、磁性体シートの熱損失が増大するのを利用してノイズを抑制することができる。また、伝送線路の幅寸法、磁性体シートの厚さ寸法を適宜設定することによってノイズフィルタの特性インピーダンスを設定できる。特に、磁性材料の比誘電率は信号の周波数に関係なくほぼ一定値となるから、ほぼ全ての周波数領域についてノイズフィルタに接続される回路に対するインピーダンス整合を取ることができ、ノイズフィルタの反射損失を低下させることができる。
【００２５】
また、複数層の伝送線路はそれぞれ独立したローパスフィルタとして作動するから、例えば複数層の伝送線路を磁性体シートを貫通した貫通線路を用いて接続した場合には不連続点となる貫通線路近傍でインピーダンスの不整合が生じ易いのに比べて、伝送線路の途中でインピーダンスの不整合が生じることがない。このため、伝送線路の途中でノイズに反射が生じることがなく、ノイズの共振を抑制することができると共に、外部の回路とのインピーダンス整合を容易に取ることができる。
【００２６】
さらに、重なり合う複数枚の磁性体シートの最上層と最下層とに接地導体を配置する状態で、前記各磁性体シート間に伝送線路と接地導体とを交互に積み重ねたから、各層の伝送線路を２枚の磁性体シート間に配置できると共に、２枚の接地導体によって各層の伝送線路をその全長に亘って覆うことができる。このため、各層の伝送線路を通過する信号を接地導体間に閉じ込めることができ、通過帯域での信号の減衰を防止できる。
【００２７】
また、重なり合う複数枚の磁性体シートはその最上層と最下層とに接地導体を配置するから、外部から各層の伝送線路中にノイズが混入するのを防ぐことができ、信号を確実に伝達することができる。
【００２８】
請求項７の発明では、伝送線路を蛇行したジグザグ状に形成し、請求項８の発明では、伝送線路を渦巻き状に形成している。これにより、伝送線路を直線状に形成した場合に比べて、その長さ寸法を増加させることができ、ノイズの減衰量を増加させることができる。
【００２９】
請求項９の発明は、複数層の伝送線路は互いに異なる特性インピーダンスを有する構成としたことにある。これにより、複数種類の特性インピーダンスをもった配線に対しても各層の伝送線路をインピーダンス整合させた状態で接続することができる。また、複数層のうち一部の層または全ての層の伝送線路を並列接続することによって、特性インピーダンスの種類数を増加させることができ、ノイズフィルタが適用可能となる配線の種類を増やすことができる。
【００３０】
請求項１０の発明は、遮断周波数が２００ＭＨｚから２ＧＨｚの範囲にあり、前記磁性体シートの比透磁率をμｒ、前記伝送線路の長さ寸法をＬ［ｍｍ］としたときに、４≦μｒ≦３０の範囲にあり、Ｌ／√（μｒ−１）≧３ｍｍに設定したことにある。なお、ここで比透磁率μｒは磁性体シートの透磁率μ［Ｈ／ｍ］と真空中の透磁率μ０［Ｈ／ｍ］との比を表しており、以下の数１の式で表される値を示している。
【００３１】
【数１】
2004048090.tif 000003
【００３２】
このように、磁性体シートの比透磁率μｒを４≦μｒ≦３０の範囲内に設定すると共に、Ｌ／√（μｒ−１）≧３ｍｍとなるように伝送線路の長さ寸法Ｌを設定することによって、遮断周波数の範囲を容易に２００ＭＨｚ≦ｆｃ≦２ＧＨｚの範囲内に設定することができる。また、ノイズの減衰曲線の傾き（信号の周波数に対する減衰量変化の割合）は、伝送線路の長さ寸法Ｌに比例して大きくなると共に、磁性体シートの比透磁率μｒに対して√（μｒ−１）に反比例して大きくなる傾向がある。このため、磁性体シートの比透磁率μｒを４≦μｒ≦３０の範囲に設定し、Ｌ／√（μｒ−１）≧３ｍｍに設定することによって、ノイズの減衰曲線の傾きを例えば２０ｄＢ／ｄｅｃ．以上にすることができ、信号とノイズとの減衰量の差を大きくすることができる。
【００３３】
また、請求項１１の発明によるノイズフィルタは、磁性体シートと、該磁性体シートの表面に形成された伝送線路と、前記磁性体シートの裏面に形成され該伝送線路を裏面側から全長に亘って覆う接地導体とによって構成としている。
【００３４】
このように構成したことにより、磁性体シートの熱損失を利用して伝送線路を通過する信号のノイズを抑制することができる。また、伝送線路の幅寸法、磁性体シートの厚さ寸法を適宜設定することによって、ノイズフィルタの特性インピーダンスを設定することができると共に、特性インピーダンスを信号の周波数に依らずほぼ一定値に保持することができる。このため、ほぼ全ての周波数領域についてノイズフィルタに接続される回路に対するインピーダンス整合を取ることができ、ノイズフィルタの反射損失を低下させることができる。さらに、接地導体によって伝送線路を裏面側から全長に亘って覆うから、伝送線路の全長に亘って特性インピーダンスを一定値に設定でき、ノイズの反射、共振を抑制することができる。
【００３５】
請求項１２の発明では、伝送線路は渦巻き状に形成している。これにより、伝送線路によって形成される磁束は互いに足し合わされるから、インダクタンスを大きくすることができると共に、特性インピーダンスを大きくすることができる。
【００３６】
請求項１３の発明では、伝送線路は蛇行したジグザグ状に形成している。これにより、伝送線路を直線状に形成した場合に比べて、その長さ寸法を増加させることができ、ノイズの減衰量を増加させることができる。
【００３７】
請求項１４の発明では、磁性体シートは四角状に形成し、該磁性体シートの長さ方向両端側には前記伝送線路の両端に接続された信号用電極を設け、該磁性体シートの長さ方向中間位置には前記接地導体に接続された接地用電極を設けている。
【００３８】
これにより、磁性体シートの長さ方向両端側に位置する信号用電極は、直線状に延びる配線の途中に容易に接続することができる。また、磁性体シートの長さ方向中間位置に設けられた接地用電極も、配線の周辺に設けられた接地端子に容易に接続することができる。このため、ノイズフィルタの組付け性を向上することができる。
【００３９】
請求項１５の発明は、接地導体の厚さ寸法を前記伝送線路の厚さ寸法よりも薄く形成したことにある。
【００４０】
これにより、ノイズフィルタ全体の厚さ寸法を薄くすることができ、小型化を図ることができる。また、伝送線路の厚さ寸法を接地導体に比べて厚くすることができるから、伝送線路の直流抵抗を小さくすることができ、より大きな電流を流すことができる。
【００４１】
請求項１６の発明は、磁性体シートを磁性特性をもったセラミックス材料によって形成したことにある。これにより、磁性体シートを重ね合わせた状態で焼成することによってノイズフィルタを形成することができる。この場合、請求項１７の発明のように、磁性体シートを焼結したフェライトによって形成することが好ましい。
【００４２】
請求項１８の発明は、磁性体シートを磁性粉を混入した樹脂材料によって形成したことにある。これにより、磁性体シートを接着剤を用いて接合することによってノイズフィルタを形成することができ、焼成等の製造工程を省くことができ、生産性を向上させることができる。
【００４３】
【発明の実施の形態】
以下、本発明の実施の形態によるノイズフィルタを、図１ないし図２８に基づき詳細に説明する。
【００４４】
図１ないし図５は第１の実施の形態に係り、１は本実施の形態によるノイズフィルタで、該ノイズフィルタ１は後述する磁性体シート２ａ〜２ｄ、伝送線路３、接地導体４、信号用電極５、接地用電極６によって大略構成されている。また、ノイズフィルタ１の遮断周波数ｆｃは、例えば２００ＭＨｚから２ＧＨｚ程度の範囲内の値（２００ＭＨｚ≦ｆｃ≦２ＧＨｚ）に設定されている。
【００４５】
２はノイズフィルタ１の外形を構成する略角柱状の積層体で、該積層体２は、例えば４枚の磁性体シート２ａ〜２ｄを相互の重なり合って積層した状態でプレスした後、これらの磁性体シート２ａ〜２ｄを焼成することによって形成されている。また、磁性体シート２ａ〜２ｄは、略四角形の板状に形成され、例えばフェライト等の磁性特性を有するセラミックス材料によって形成されている。そして、後述の２枚の接地導体４に挟まれた磁性体シート２ｂ，２ｃは、その比透磁率μｒが例えば４から３０程度の範囲内の値（４≦μｒ≦３０）に設定されている。
【００４６】
なお、磁性体シート２ａ，２ｄと磁性体シート２ｂ，２ｃとは異なる材料として、例えば、磁性体シート２ａには絶縁性の樹脂皮膜を用い、磁性体シート２ｄにはアルミナ等の絶縁性のセラミック基板（絶縁性基板）を用いてもよい。但し、製造コストの低減するためには、４枚の磁性体シート２ａ〜２ｄは全て同じ材料を用いることが好ましい。
【００４７】
３は磁性体シート２ｂ，２ｃ間に配設された伝送線路で、該伝送線路３は、例えば銀ペースト、パラジウム等の導電性金属材料によって略帯状に形成され、磁性体シート２ｂ，２ｃの短尺方向（幅方向）中央側に位置して長尺方向（長さ方向）に向けて直線状に延びている。そして、伝送線路３は、後述の２枚の接地導体４間の略中央に位置し、略全長に亘って２枚の接地導体４によって覆われている。また、伝送線路３は、その両端側が電極部３Ａとなり、信号用電極５に接続されている。
【００４８】
ここで、伝送線路３の幅寸法をＡ、２枚の接地導体４間の距離寸法をＢ、積層体２（磁性体シート２ｂ，２ｃ）の透磁率をμ、積層体２の誘電率をεとしたときには、伝送線路３の特性インピーダンスＷは以下の数２の式に示す値となる。
【００４９】
【数２】
2004048090.tif 000004
【００５０】
また、伝送線路の長さ寸法Ｌは、磁性体シート２ｂ，２ｃの比透磁率μｒに対して例えば以下の数３の式を満たす値に設定されている。
【００５１】
【数３】
2004048090.tif 000005
【００５２】
なお、小型のチップ部品によってノイズフィルタ１を構成する場合には、伝送線路の長さ寸法Ｌは、例えば１００ｍｍ以下である必要がある。一方、磁性体シート２ｂ，２ｃの比透磁率μｒは４≦μｒ≦３０に設定されている。このため、Ｌ／√（μｒ−１）の値は、以下の数４の式に示すように３ｍｍ以上かつ２０ｍｍ以下であることが好ましい。
【００５３】
【数４】
2004048090.tif 000006
【００５４】
４は磁性体シート２ｂの表面側と磁性体シート２ｃの裏面側とにそれぞれ設けられた２枚の接地導体で、これらの接地導体４は、ノイズフィルタ１のうち厚さ方向の中間に位置する２枚の磁性体シート２ｂ，２ｃを上，下方向から挟むものである。また、各接地導体４は、例えば銀ペースト、パラジウム等の導電性金属材料を用いて略四角形の平板状に形成され、磁性体シート２ｂ，２ｃを略全面に亘って覆っている。さらに、接地導体４のうち略四角状をなす磁性体シート２ｂ，２ｃの長さ方向（図２中の左，右方向）中間位置には、幅方向（図２中の前，後方向）両端側に向けて舌状に突出して延びる電極部４Ａが設けられ、該電極部４Ａは後述の接地用電極６に接続されている。そして、各接地導体４は、磁性体シート２ａ，２ｄによって覆われている。
【００５５】
５は積層体２（磁性体シート２ａ〜２ｄ）の長さ方向両端側にそれぞれ設けられた信号用電極で、該信号用電極５は、積層体２の端面を覆うと共に、その表面、裏面および側面をも筒状に覆っている。そして、信号用電極５は、例えば積層体２の両端側に導電性金属材料を塗布した後に、この導電性金属材料を焼き付けることによって固定され、伝送線路３の電極部３Ａに接続されている。
【００５６】
６は積層体２の長さ方向中間位置で幅方向の両端側にそれぞれ設けられた接地用電極で、該接地用電極６は、略コ字状をなし、積層体２の側面に厚さ方向に沿って帯状に延びると共に、その一部が積層体２の表面と裏面とに延伸している。そして、接地用電極６は、例えば積層体２の側面側に導電性金属材料を塗布した状態で焼き付けることによって固定され、接地導体４の電極部４Ａに接続されている。
【００５７】
本実施の形態によるノイズフィルタ１は上述の如く構成されるものであり、次にその作動について説明する。
【００５８】
まず、信号が伝達される配線が設けられた基板上にノイズフィルタ１を配置し、配線の途中に信号用電極５をそれぞれ接続すると共に、接地用電極６を接地端子に接続する。これにより、信号は伝送線路３を通じて伝達されると共に、接地導体４は接地電位に保持される。
【００５９】
ここで、磁性体シート２ａ〜２ｄを構成するフェライト等の磁性材料は伝送線路３を通過する信号の周波数が高くなるに従って信号の熱損失が増大する傾向がある。このため、このような熱損失を用いることによって低域通過型フィルタを構成することができるから、伝送線路３は、例えば２００ＭＨｚから２ＧＨｚ程度に設定された遮断周波数ｆｃよりも低い周波数（１００ＭＨｚ〜１ＧＨｚ程度）の信号を通過させ、これよりも高い周波数の信号をノイズとして減衰し、抑制することができる。
【００６０】
また、伝送線路３の幅寸法Ａ、磁性体シート２ｂ，２ｃの厚さ寸法（接地導体４間の距離寸法Ｂ）を適宜設定することによってノイズフィルタ１の特性インピーダンスＷを設定することができる。さらに、磁性材料の比誘電率μｒは信号の周波数に関係なくほぼ一定値となるから、特性インピーダンスＷを信号の周波数に依らずほぼ一定値に保持することができる。このため、ノイズフィルタ１に接続される回路に対して、ほぼ全ての周波数領域についてインピーダンス整合を取ることができ、ノイズフィルタ１の反射損失を低下させ、共振によるノイズの増大を防止することができる。
【００６１】
さらに、２枚の磁性体シート２ｂ、２ｃ間に伝送線路３を配設すると共に、当該２枚の磁性体シート２ｂ，２ｃを２枚の接地導体４によって挟む構成としたから、２枚の接地導体４によって磁性体シート２ｂ，２ｃ間に位置する伝送線路３をその全長に亘って覆うことができる。このため、伝送線路３の全長に亘って特性インピーダンスＷを一定値に設定できるから、伝送線路３の途中でノイズに反射が生じることがなく、ノイズの共振を抑制することができる。また、伝送線路３を通過する信号を接地導体４間に閉じ込めることができ、通過帯域での信号の減衰を防止できると共に、外部からの伝送線路３中にノイズが混入するのを防ぐことができ、信号を確実に伝達することができる。
【００６２】
なお、ノイズフィルタ１の遮断周波数ｆｃは、磁性体シート２ａ〜２ｄの磁性材料の組成（磁性体シート２ｂ，２ｃの比透磁率μｒ）および伝送線路３の長さ寸法Ｌを調整することによって適宜設定できるものである。
【００６３】
そこで、次に磁性体シート２ｂ，２ｃの比透磁率μｒおよび伝送線路３の長さ寸法Ｌに対する遮断周波数ｆｃの関係について、図６ないし図１１を参照しつつ検討する。
【００６４】
まず、磁性体シート２ｂ，２ｃの比透磁率μｒを一定の値として例えば１０とし（μｒ＝１０）、伝送線路３の長さ寸法Ｌを５ｍｍ、１０ｍｍ、２０ｍｍ、５０ｍｍにそれぞれ設定し、ノイズフィルタ１のシミュレーションを行った。この結果、図６に示すように４種類の伝送線路３の長さ寸法Ｌに対応して、４本の減衰曲線を得た。
【００６５】
図６の結果より、伝送線路３の長さ寸法Ｌが長くなるに従って、遮断周波数ｆｃ（減衰量が−３ｄＢとなる周波数）は低下すると共に、例えば減衰量が−１０ｄＢ付近での減衰曲線の傾き（周波数変化に対する減衰量変化の割合）は増加することが分かる。
【００６６】
一方、伝送線路３の長さ寸法Ｌを一定の値として例えば５０ｍｍとし（Ｌ＝５０ｍｍ）、磁性体シート２ｂ，２ｃの比透磁率μｒを３，５、１０，２０，３０にそれぞれ設定し、ノイズフィルタ１のシミュレーションを行った。この結果、図７に示すように５種類の比透磁率μｒに対応して、５本の減衰曲線を得た。
【００６７】
図７の結果より、比透磁率μｒが大きくなるに従って、遮断周波数ｆｃは低下するものの、例えば減衰量が−１０ｄＢ付近での減衰曲線の傾きは減少することが分かる。
【００６８】
これらの特性を本願発明者等が鋭意検討した結果、伝送線路３の長さ寸法Ｌと磁性体シート２ｂ，２ｃの比透磁率μｒとに基づいて以下の数５の式によって定まる定数Ｃ［ｍｍ］が同一となる場合に、長さ寸法Ｌ、比透磁率μｒが異なるときであっても、減衰曲線の形状（傾き）はほぼ同一となることが分かった。
【００６９】
【数５】
2004048090.tif 000007
【００７０】
例えば、図８は、定数Ｃを一定の値として例えば２０ｍｍとし（Ｃ＝２０ｍｍ）、磁性体シート２ｂ，２ｃの比透磁率μｒを３，５、１０，２０，３０にそれぞれ設定すると共に、伝送線路３の長さ寸法Ｌを３５ｍｍ、４５ｍｍ、６３ｍｍ、８９ｍｍ、１０９ｍｍにそれぞれ設定し、シミュレーションを行った場合の減衰曲線を示している。
【００７１】
また、図９は、定数Ｃを一定の値として例えば３ｍｍとし（Ｃ＝３ｍｍ）、磁性体シート２ｂ，２ｃの比透磁率μｒを３，５、１０，２０，３０にそれぞれ設定すると共に、伝送線路３の長さ寸法Ｌを５．１９ｍｍ、６．７２ｍｍ、９．４８ｍｍ、１３．４ｍｍ、１６．４ｍｍにそれぞれ設定し、シミュレーションを行った場合の減衰曲線を示している。
【００７２】
このように、定数Ｃが同一となる場合には、比透磁率μｒが大きくなるに従って、遮断周波数ｆｃは低下するものの、長さ寸法Ｌ、比透磁率μｒが異なるときでも、減衰曲線の形状（傾き）はほぼ同一となる。また、定数Ｃは大きくなるに従って、減衰曲線の傾きは大きくなる。
【００７３】
そこで、定数Ｃと減衰量が−１０ｄＢ付近での減衰曲線の傾きとの関係を検討したところ、図１０に示す結果を得た。ここで、一般にノイズ対策に用いられるバイパスコンデンサの減衰曲線の傾きは２０ｄＢ／ｄｅｃ．であり、ノイズ対策部品として用いるにはこれ以上の傾きを有していることが望ましい。図１０の結果より、定数Ｃが３ｍｍ以上であれば、減衰曲線の傾きが２０ｄＢ／ｄｅｃ．以上となり、ノイズ対策部品として優れた効果を発揮することが分かる。
【００７４】
また、図８および図９の結果より、比透磁率μｒが同じ値となる場合には、定数Ｃが小さくなるに従って、遮断周波数ｆｃ（減衰量が−３ｄＢとなる周波数）が高くなることが分かる。このため、ノイズフィルタ１の最高の遮断周波数ｆｃを検討するために、定数Ｃを３ｍｍとし（Ｃ＝３ｍｍ）、比透磁率μｒと遮断周波数ｆｃとの関係を検討した。この結果を図１１に示す。
【００７５】
ここで、近年は、デジタル機器同士で情報伝達を行う手段として無線ＬＡＮが普及し始めており、この無線ＬＡＮには例えば２．４５ＧＨｚおよび５ＧＨｚ程度の高周波の信号が用いられている。このため、これらの高周波の信号に対してデジタル機器内の低周波（数百ＭＨｚ程度）の信号を保護するためには、遮断周波数が２ＧＨｚ以下であるノイズフィルタが必要となっている。そこで、図１１の結果を検討すると、遮断周波数ｆｃを２ＧＨｚに設定するためには、比透磁率μｒを４程度に設定すればよいことが分かる。
【００７６】
なお、数５の式によれば、定数Ｃは√（μｒ−１）に反比例しているから、伝送線路３の長さ寸法Ｌが一定であれば、比透磁率μｒは小さい値に設定した方が、定数Ｃを大きくして減衰曲線の傾きを大きくすることができる。また、定数Ｃが一定であれば、比透磁率μｒは小さい値に設定した方が、伝送線路３の長さ寸法Ｌを短くすることができ、ノイズフィルタ１を小型化することができる。
【００７７】
従って、比透磁率μｒはできるだけ小さい値として４程度に設定することが望ましい。但し、図１１の結果によれば、定数Ｃが最小値である３ｍｍとしたとき（Ｃ＝３ｍｍ）に、比透磁率μｒは３０程度に設定しても、遮断周波数ｆｃをデジタル機器等で必要となる２００ＭＨｚ程度に設定することができる。このため、比透磁率μｒは、４以上かつ３０以下の範囲内（４≦μｒ≦３０）に設定することが好ましい。
【００７８】
また、伝送線路３の長さ寸法Ｌは、長くなるほど定数Ｃが増大するから、できるだけ長い値に設定することが好ましい。しかし、長さ寸法Ｌが長くなるに従ってノイズフィルタ１の全体形状が大きくなるから、ノイズフィルタ１を実用的な大きさにするためには、長さ寸法Ｌはおよそ１００ｍｍ以下である必要がある。ここで、比透磁率μｒの最小値は４だから、定数Ｃの最大値はおよそ２０程度となる。従って、定数Ｃは、３ｍｍ以上かつ２０ｍｍ以下の範囲内（３ｍｍ≦Ｃ≦２０ｍｍ）に設定することが好ましい。
【００７９】
かくして、本実施の形態によれば、２枚の磁性体シート２ｂ，２ｃ間に伝送線路と配設すると共に、これらの磁性体シート２ｂ，２ｃを２枚の接地導体４によって覆う構成としたから、磁性体シート２ｂ，２ｃを構成する磁性材料の熱損失を用いることによってノイズを抑制することができる。また、伝送線路３の特性インピーダンスＷを信号の周波数に依らずほぼ一定値に保持することができるから、外部の回路とのインピーダンス整合を容易に取ることができる。このため、ノイズフィルタ１の反射損失を低下させることができ、共振によるノイズの増大を防止することができる。
【００８０】
また、２枚の接地導体４によって磁性体シート２ｂ，２ｃ間に位置する伝送線路３をその全長に亘って覆うことができるから、伝送線路３の全長に亘って特性インピーダンスＷを一定値に設定することができ、伝送線路３の途中でノイズが反射することがないのに加え、伝送線路３を通過する信号を接地導体４間に閉じ込めることができる。このため、通過帯域での信号の減衰を防止できると共に、外部からの伝送線路３中にノイズが混入するのを防ぐことができ、信号を確実に伝達することができる。
【００８１】
さらに、磁性体シート２ａ〜２ｄは略四角状に形成し、該磁性体シート２ａ〜２ｄの長さ方向両端側には伝送線路３の両端に接続された信号用電極５を設け、該磁性体シート２ａ〜２ｄの長さ方向中間位置には接地導体４に接続された接地用電極６を設ける構成としたから、直線状に延びる配線の途中に磁性体シート２ａ〜２ｄの長さ方向両端側に位置する信号用電極５を容易に接続することができる。また、磁性体シート２ａ〜２ｄの長さ方向中間位置に設けられた接地用電極６も配線の周辺に設けられた接地端子に容易に接続することができるから、ノイズフィルタ１の組付け性を向上することができる。
【００８２】
また、磁性体シート２ｂ，２ｃの比透磁率μｒを４≦μｒ≦３０の範囲内に設定すると共に、定数Ｃが３ｍｍ以上（Ｃ≧３ｍｍ）となるように、伝送線路の長さ寸法Ｌを設定したから、遮断周波数ｆｃの範囲を容易に実用的な周波数帯である２００ＭＨｚ≦ｆｃ≦２ＧＨｚの範囲内に設定することができる。さらに、ノイズの減衰曲線の傾きは、伝送線路３の長さ寸法Ｌに比例して大きくなると共に、√（μｒ−１）に反比例して大きくなる傾向がある。このため、磁性体シート２ｂ，２ｃの比透磁率μｒを４≦μｒ≦３０の範囲に設定し、定数Ｃを３ｍｍ以上に設定することによって、ノイズの減衰曲線の傾きを例えば２０ｄＢ／ｄｅｃ．以上にすることができる。この結果、信号とノイズとの減衰量の差を大きくすることができるから、信号は減衰させずに通過させることができると共に、ノイズを確実に減衰させることができる。
【００８３】
次に、図１２ないし図１５は本発明の第２の実施の形態によるノイズフィルタを示し、本実施の形態によるノイズフィルタの特徴は、磁性体シートの最上層と最下層とが接地導体となるように当該磁性体シート間に伝送線路と当該接地導体とを交互に積み重ね、複数層の伝送線路を直列接続する構成としたことにある。
【００８４】
１１は本実施の形態によるノイズフィルタで、該ノイズフィルタ１１は後述する磁性体シート１２ａ〜１２ｎ、伝送線路１３〜１８、接地導体１９、貫通線路２０〜２４、信号用電極２５、接地用電極２６によって大略構成されている。
【００８５】
１２はノイズフィルタ１１の外形を構成する略角柱状の積層体で、該積層体１２は、例えば１４枚の磁性体シート１２ａ〜１２ｎを相互の重なり合って積層した状態でプレスした後、これらの磁性体シート１２ａ〜１２ｎを焼成することによって形成されている。そして、磁性体シート１２ａ〜１２ｎは、略四角形の板状に形成され、例えばフェライト等の磁性特性を有するセラミックス材料によって形成されている。
【００８６】
１３〜１８は各組の磁性体シート１２ｂ，１２ｃ間、磁性体シート１２ｄ，１２ｅ間、磁性体シート１２ｆ，１２ｇ間、磁性体シート１２ｈ，１２ｉ間、磁性体シート１２ｊ，１２ｋ間、磁性体シート１２ｌ，１２ｍ間にそれぞれ配設された合計６層の伝送線路で、該各伝送線路１３〜１８は、導電性金属材料によって折返し部を有する略コ字状または円弧状をなして形成され、これらが直列接続されることによって積層体１２の厚さ方向に対して略四角形または円形の開口を有する枠型のコイル状（螺旋状）をなしている。
【００８７】
ここで、上層側に位置する磁性体シート１２ｂ，１２ｃ間の伝送線路１３は、その一端側が積層体１２の長さ方向一端側に向かって延びた電極部１３Ａをなし、後述の信号用電極２５に接続されると共に、その他端側には磁性体シート１２ｃ，１２ｄを貫通するスルーホール１３Ｂが設けられている。
【００８８】
また、磁性体シート１２ｄ，１２ｅ間の伝送線路１４は、その一端側にスルーホール１３Ｂを通じて伝送線路１３に接続するための接続部１４Ａが設けられ、他端側には磁性体シート１２ｅ，１２ｆを貫通するスルーホール１４Ｂが設けられている。
【００８９】
同様に、磁性体シート１２ｆ，１２ｇ間の伝送線路１５も、その一端側に接続部１５Ａが設けられ、他端側にはスルーホール１５Ｂが設けられている。磁性体シート１２ｈ，１２ｉ間の伝送線路１６も、その一端側に接続部１６Ａが設けられ、他端側にはスルーホール１６Ｂが設けられている。磁性体シート１２ｊ，１２ｋ間の伝送線路１７も、その一端側に接続部１７Ａが設けられ、他端側にはスルーホール１７Ｂが設けられている。
【００９０】
また、下層側に位置する磁性体シート１２ｌ，１２ｍ間の伝送線路１８は、その一端側にスルーホール１７Ｂを通じて伝送線路１７に接続するための接続部１８Ａが設けられると共に、その他端側が積層体１２の長さ方向他端側に向かって延びた電極部１８Ｂをなし、後述の信号用電極２５に接続されている。
【００９１】
そして、伝送線路１３〜１８の特性インピーダンスは、第１の実施の形態による伝送線路３と同様に伝送線路１３〜１８の幅寸法、隣り合う接地導体１９間の距離寸法、積層体１２の透磁率、誘電率によって決定される。このため、伝送線路１３〜１８の幅寸法をほぼ等しい値に設定すると共に、磁性体シート１２ｂ〜１２ｍの厚さ寸法をほぼ等しい値に設定することによって、伝送線路１３〜１８の全長に亘って特性インピーダンスを一定値に設定することができる。
【００９２】
１９は各層の伝送線路１３〜１８を挟むように磁性体シート１２ａ〜１２ｎの間にそれぞれ設けられた合計７枚の接地導体で、各接地導体１９は、磁性体シート１２ｂ〜１２ｍの最上層と最下層とにそれぞれ配置されると共に、磁性体シート１２ｂ〜１２ｍ間に伝送線路１３〜１８と交互に積み重ねられている。
【００９３】
そして、接地導体１９は、導電性金属材料を用いて略四角形の平板状に形成され、磁性体シート１２ｂ〜１２ｍを略全面に亘って覆っている。さらに、接地導体１９には第１の実施の形態による接地導体４とほぼ同様に幅方向両端側に向けて突出した電極部１９Ａが設けられ、該電極部１９Ａは後述の接地用電極２６に接続されている。
【００９４】
２０〜２４は伝送線路１３〜１８を直列接続する貫通線路で、該貫通線路２０〜２４はスルーホール１３Ｂ〜１７Ｂ内に銀ペースト、パラジウム等の導電性金属材料を充填することによって形成されている。
【００９５】
２５は積層体１２（磁性体シート１２ａ〜１２ｎ）の長さ方向両端側にそれぞれ設けられた信号用電極で、該信号用電極２５は、第１の実施の形態による信号用電極５と同様に積層体１２の端面を覆うと共に、その表面、裏面および側面をも筒状に覆っている。そして、信号用電極２５は、導電性金属材料を塗布した後に、焼き付けることによって固定され、伝送線路１３，１８の電極部１３Ａ，１８Ｂに接続されている。
【００９６】
２６は積層体１２の長さ方向中間位置で幅方向の両端側にそれぞれ設けられた接地用電極で、該接地用電極２６は、略コ字形状をなし、積層体１２の側面に厚さ方向に沿って帯状に延びると共に、その一部が積層体１２の表面と裏面とに延伸している。そして、接地用電極２６は、例えば積層体１２の側面側に導電性金属材料を塗布した後に、焼き付けることによって固定され、接地導体１９の電極部１９Ａに接続されている。
【００９７】
かくして、このように構成される本実施の形態でも、前記第１の実施の形態とほぼ同様の作用効果を得ることができるが、特に本実施の形態では、各磁性体シート１２ｃ〜１２ｌを貫通して設けた貫通線路２０〜２４によって６層の伝送線路１３〜１８を直列接続したから、伝送線路１３〜１８の全長を長くすることができ、伝送線路１３〜１８を通過するノイズに対する熱損失を増大させ、その減衰量を増加させることができる。
【００９８】
また、伝送線路１３〜１８の幅寸法、磁性体シート１２ｂ〜１２ｍの厚さ寸法を全てほぼ等しい値に設定することによって、積層された各層の伝送線路１３〜１８での特性インピーダンスを相互にほぼ一致させることができるから、伝送線路１３〜１８の途中で特性インピーダンスが変化することがなく、外部の回路との間でインピーダンス整合を容易に取ることができる。
【００９９】
さらに、伝送線路１３〜１８は略コ字状または円弧状をなし、これらの全体によって厚さ方向に対してコイル状に形成したから、ノイズフィルタ１１の厚さ寸法は増大する傾向があるものの、ノイズフィルタ１１の底面積をコイル状をなす伝送線路１３〜１８の開口面積と同程度に設定することができる。このため、狭い設置場所に対してもノイズフィルタ１１を配置することができ、ノイズフィルタ１１の取り付け自由度を向上することができる。
【０１００】
なお、前記第１の実施の形態では、伝送線路３を直線状に伸長させる構成としたが、図１６に示す第１の変形例のように積層体２の幅方向に往復して蛇行したジグザグ状の伝送線路３′を設ける構成としてもよく、積層体２の長さ方向に往復して蛇行したジグザグ形状の伝送線路（図示せず）を設ける構成としてもよい。
【０１０１】
このように、伝送線路３′を蛇行したジグザグ状に形成した場合には、第１の実施の形態のように伝送線路３を直線状に形成した場合に比べて、その長さ寸法を増加させることができ、ノイズの減衰量を増加させることができる。
【０１０２】
また、第２の実施の形態では、伝送線路１３〜１８を略コ字状または円弧状に形成したが、第１の変形例と同様にジグザグ状に形成してもよく、渦巻き状等に形成してもよい。
【０１０３】
次に、図１７および図１８は本発明の第３の実施の形態によるノイズフィルタを示し、本実施の形態によるノイズフィルタの特徴は、磁性体シート間には同一層に位置して第１の伝送線路と第２の伝送線路を設け、これら第１，第２の伝送線路と接地導体とを磁性体シート間に交互に積み重ね、複数層の第１の伝送線路を直列接続すると共に、これら第１の伝送線路とは独立して複数層の第２の伝送線路を直列接続する構成としたことにある。
【０１０４】
３１は本実施の形態によるノイズフィルタで、該ノイズフィルタ３１は後述する磁性体シート３２ａ〜３２ｊ、第１の伝送線路３３〜３６、第２の伝送線路３７〜４０、接地導体４１、貫通線路（図示せず）、第１の信号用電極４２、第２の信号用電極４３、接地用電極４４によって大略構成されている。
【０１０５】
３２はノイズフィルタ３１の外形を構成する略角柱状の積層体で、該積層体３２は、例えば１０枚の磁性体シート３２ａ〜３２ｊを積層することによって形成されている。そして、磁性体シート３２ａ〜３２ｊは、略四角形の板状に形成され、例えばフェライト等の磁性特性を有するセラミックス材料によって形成されている。
【０１０６】
３３〜３６は各組の磁性体シート３２ｂ，３２ｃ間、磁性体シート３２ｄ，３２ｅ間、磁性体シート３２ｆ，３２ｇ間、磁性体シート３２ｈ，３２ｉ間にそれぞれ位置して合計４層に設けれた第１の伝送線路で、該各伝送線路３３〜３６は、導電性金属材料によって渦巻き状に形成されると共に、積層体３２の厚さ方向に対して互いに対向する位置に配置されている。
【０１０７】
ここで、伝送線路３３の一端側は、積層体３２の長さ方向（図１８中の左，右方向）一端側に向かって延びた電極部３３Ａをなし、伝送線路３３の他端側は、渦巻きの中心側に位置して磁性体シート３２ｃ，３２ｄを貫通するスルーホール３３Ｂが設けられている。
【０１０８】
また、伝送線路３４の一端側は、渦巻きの中心側に位置してスルーホール３３Ｂを通じて伝送線路３３に接続するための接続部３４Ａが設けられ、伝送線路３４の他端側は、渦巻きの外周側に位置して磁性体シート３２ｅ，３２ｆを貫通するスルーホール３４Ｂが設けられている。同様に、伝送線路３５の一端側は、渦巻きの外周側に位置して接続部３５Ａが設けられ、伝送線路３５の他端側は、渦巻きの中心側に位置してスルーホール３５Ｂが設けられている。
【０１０９】
また、伝送線路３６の一端側は、渦巻きの中心側に位置してスルーホール３５Ｂを通じて伝送線路３５に接続するための接続部３６Ａが設けられると共に、伝送線路３６の他端側は、渦巻きの外周側に位置して積層体３２の長さ方向他端側に向かって延びた電極部３６Ｂをなしている。
【０１１０】
そして、スルーホール３３Ｂ，３４Ｂ，３５Ｂ内には、第２の実施の形態と同様に導電性金属材料からなる貫通線路（図示せず）が形成されている。これにより、伝送線路３３〜３６は、貫通線路を用いて相互に直列接続されている。
【０１１１】
また、伝送線路３３〜３６の幅寸法はほぼ等しい値に設定されると共に、磁性体シート３２ｂ〜３２ｉの厚さ寸法はほぼ等しい値に設定されている。これにより、伝送線路３３〜３６の特性インピーダンスは、その全長に亘ってほぼ一定値に設定されている。
【０１１２】
３７〜４０は各組の磁性体シート３２ｂ，３２ｃ間、磁性体シート３２ｄ，３２ｅ間、磁性体シート３２ｆ，３２ｇ間、磁性体シート３２ｈ，３２ｉ間にそれぞれ位置して合計４層に設けられた第２の伝送線路で、該各伝送線路３７〜４０は、第１の伝送線路３３〜３６と異なる位置として第１の伝送線路３３〜３６から積層体３２の幅方向（図１８中の前，後方向）に位置ずれして配置され、第１の伝送線路３３〜３６に対して絶縁されている。また、伝送線路３７〜４０は、導電性金属材料によって渦巻き状に形成されると共に、積層体３２の厚さ方向に対して互いに対向する位置に配置されている。
【０１１３】
そして、第２の伝送線路３７〜４０は、第１の伝送線路３３〜３６とほぼ同様の形状をもって形成され、伝送線路３７の一端側には電極部３７Ａが設けられ、伝送線路３７の他端側にはスルーホール３７Ｂが設けられている。同様に、伝送線路３８，３９の一端側には接続部３８Ａ，３９Ａが設けられ、伝送線路３８，３９の他端側にはスルーホール３８Ｂ，３９Ｂが設けられている。さらに、伝送線路４０の一端側には接続部４０Ａが設けられ、伝送線路４０の他端側には電極部４０Ｂが設けられている。
【０１１４】
そして、スルーホール３７Ｂ，３８Ｂ，３９Ｂ内には導電性金属材料からなる貫通線路（図示せず）が設けられている。これにより、伝送線路３７〜４０は、貫通線路によって相互に直列接続されている。
【０１１５】
また、伝送線路３７〜４０の幅寸法はほぼ等しい値に設定されると共に、磁性体シート３２ｂ〜３２ｉの厚さ寸法はほぼ等しい値に設定されている。これにより、伝送線路３７〜４０の特性インピーダンスは、その全長に亘ってほぼ一定値に設定されている。
【０１１６】
４１は第１の伝送線路３３〜３６および第２の伝送線路３７〜４０を各層毎に挟むように磁性体シート３２ａ〜３２ｊの間にそれぞれ設けられた合計５枚の接地導体で、各接地導体４１は、磁性体シート３２ｂ〜３２ｉの最上層と最下層とにそれぞれ配置されると共に、磁性体シート３２ｂ〜３２ｉ間に第１，第２の伝送線路３３〜３６，３７〜４０と交互に積み重ねられている。
【０１１７】
そして、接地導体４１は、導電性金属材料を用いて略四角形の平板状に形成され、磁性体シート３２ｂ〜３２ｉを略全面に亘って覆っている。さらに、接地導体４１には第１の実施の形態による接地導体４とほぼ同様に幅方向両端側に向けて突出した電極部４１Ａが設けられ、該電極部４１Ａは後述の接地用電極４４に接続されている。
【０１１８】
４２は積層体３２（磁性体シート３２ａ〜３２ｊ）の長さ方向両端側にそれぞれ設けられた第１の信号用電極で、該信号用電極４２は、導電性金属材料によって形成され、信号用の配線に接続されるものである。また、一方の信号用電極４２は、伝送線路３３の電極部３３Ａに接続されると共に、他方の信号用電極４２は、伝送線路３６の電極部３６Ｂに接続されている。
【０１１９】
４３は積層体３２（磁性体シート３２ａ〜３２ｊ）の長さ方向両端側にそれぞれ設けられた第２の信号用電極で、該信号用電極４３は、導電性金属材料によって形成され、第１の信号用電極４２に対して積層体３２の幅方向に位置ずれして設けられ、第１の信号用電極４２に対して絶縁されている。また、一方の信号用電極４３は、伝送線路３７の電極部３７Ａに接続されると共に、他方の信号用電極４３は、伝送線路４０の電極部４０Ｂに接続されている。
【０１２０】
そして、例えば一方の信号用電極４２，４３は信号入力用電極をなし、他方の信号用電極４２，４３は信号出力用電極をなしている。なお、一方の信号用電極４２，４３を信号出力用に用い、信号用電極４２，４３を信号入力用に用いてもよい。
【０１２１】
４４は積層体３２の幅方向の両端側にそれぞれ設けられた接地用電極で、該接地用電極４４は、導電性金属材料によって形成され、接地導体４１の電極部４１Ａに接続されている。
【０１２２】
かくして、このように構成される本実施の形態でも、前記第１の実施の形態とほぼ同様の作用効果を得ることができる。しかし、本実施の形態では、第１の伝送線路３３〜３６を直列接続すると共に、第２の伝送線路３７〜４０を直列接続したから、第１，第２の伝送線路３３〜３６，３７〜４０の全長をそれぞれ長くすることができ、ノイズの減衰量を増加させることができる。
【０１２３】
また、第１，第２の伝送線路３３〜３６，３７〜４０をそれぞれ独立して設けたから、単一の積層体３２内に第１の伝送線路３３〜３６からなるローパスフィルタと第２の伝送線路３７〜４０からなるローパスフィルタを設けることができる。このため、ノイズフィルタ３１は、全体として２つのローパスフィルタを有するノイズフィルタアレイを構成することができるから、２つのローパスフィルタを個別に形成した場合に比べて、接地導体４１、接地用電極４４等を共用することができ、ノイズフィルタ３１を小型化することができる。
【０１２４】
次に、図１９ないし図２１は本発明の第４の実施の形態によるノイズフィルタを示し、本実施の形態によるノイズフィルタの特徴は、磁性体シートの最上層と最下層とが接地導体となるように当該磁性体シート間に伝送線路と当該接地導体とを交互に積み重ね、複数層の伝送線路の一端側は互いに異なる信号入力用電極に接続し、複数層の伝送線路の他端側は互いに異なる信号出力用電極に接続する構成としたことにある。
【０１２５】
５１は本実施の形態によるノイズフィルタで、該ノイズフィルタ５１は後述する磁性体シート５２ａ〜５２ｊ、第１〜第４の伝送線路５３〜５６、接地導体５７、第１〜第４の信号用電極５８〜６１、接地用電極６２によって大略構成されている。
【０１２６】
５２はノイズフィルタ５１の外形を構成する略角柱状の積層体で、該積層体３２は、例えば１０枚の磁性体シート５２ａ〜５２ｊを積層することによって形成されている。そして、磁性体シート５２ａ〜５２ｊは、略四角形の板状に形成され、例えばフェライト等の磁性特性を有するセラミックス材料によって形成されている。
【０１２７】
５３は磁性体シート５２ｂ，５２ｃ間に設けられた第１の伝送線路で、該伝送線路５３は、導電性金属材料を用いて細い帯状に形成されると共に、積層体５２の幅方向（図２０中の前，後方向）に複数回に亘って蛇行（往復）したジグザグ状をなしている。そして、伝送線路５３の両端側には、積層体５２の長さ方向（図２０中の左，右方向）両端側に向かってそれぞれ延びた電極部５３Ａが形成され、これらの電極部５３Ａは、例えば積層体５２の幅方向一端側に配置されている。
【０１２８】
５４は磁性体シート５２ｄ，５２ｅ間に設けられた第２の伝送線路で、該伝送線路５４は、例えば第１の伝送線路５３と同じ幅寸法を有し、第１の伝送線路５３と同様に導電性金属材料を用いて蛇行したジグザグ状に形成され、その両端側には積層体５２の長さ方向両端側に向かってそれぞれ延びた電極部５４Ａが形成されている。そして、これらの電極部５４Ａは、第１の電極部５３Ａとは異なる位置として例えば積層体５２の幅方向中央側に配置されている。
【０１２９】
５５は磁性体シート５２ｆ，５２ｇ間に設けられた第３の伝送線路で、該伝送線路５５は、例えば第１の伝送線路５３と同じ幅寸法を有し、第１の伝送線路５３と同様に導電性金属材料を用いて蛇行したジグザグ状に形成され、その両端側には積層体５２の長さ方向両端側に向かってそれぞれ延びた電極部５５Ａが形成されている。そして、これらの電極部５５Ａは、第１，第２の電極部５３Ａ，５４Ａとは異なる位置として例えば第２の電極部５４Ａと積層体５２の幅方向他端との中間部位に配置されている。
【０１３０】
５６は磁性体シート５２ｈ，５２ｉ間に設けられた第４の伝送線路で、該伝送線路５６は、例えば第１の伝送線路５３と同じ幅寸法を有し、第１の伝送線路５３と同様に導電性金属材料を用いて蛇行したジグザグ状に形成され、その両端側には積層体５２の長さ方向両端側に向かってそれぞれ延びた電極部５６Ａが形成されている。そして、これらの電極部５６Ａは、第１〜第３の電極部５３Ａ〜５５Ａとは異なる位置として例えば積層体５２の幅方向他端側に配置されている。
【０１３１】
５７は第１〜第４の伝送線路５３〜５６を挟むように磁性体シート５２ａ〜５２ｊの間にそれぞれ設けられた合計５枚の接地導体で、各接地導体５７は、磁性体シート５２ｂ〜５２ｉの最上層と最下層とにそれぞれ配置されると共に、磁性体シート５２ｂ〜５２ｉ間に伝送線路５３〜５６と交互に積み重ねられている。
【０１３２】
そして、接地導体５７は、導電性金属材料を用いて略四角形の平板状に形成され、磁性体シート５２ｂ〜５２ｉを略全面に亘って覆っている。さらに、接地導体５７には第１の実施の形態による接地導体４とほぼ同様に幅方向両端側に向けて突出した電極部５７Ａが設けられ、該電極部５７Ａは後述の接地用電極６２に接続されている。
【０１３３】
５８〜６１は導電性金属材料によって形成された第１〜第４の信号用電極で、該第１〜第４の信号用電極５８〜６１は、積層体５２の長さ方向両端側の側面に位置してそれぞれ一対ずつ設けられている。そして、第１〜第４の信号用電極５８〜６１は、積層体５２の幅方向に対して互いに異なる位置として例えば積層体５２の幅方向一端側から他端側に向けて順次配置され、相互の間が絶縁されている。
【０１３４】
また、第１の信号用電極５８は第１の伝送線路５３の電極部５３Ａに接続され、第２の信号用電極５９は第２の伝送線路５４の電極部５４Ａに接続され、第３の信号用電極６０は第３の伝送線路５５の電極部５５Ａに接続されると共に、第４の信号用電極６１は第４の伝送線路５６の電極部５６Ａに接続されている。
【０１３５】
そして、一対ずつ設けられた第１〜第４の信号用電極５８〜６１のうち一方の信号用電極５８〜６１は信号入力用電極をなし、他方の信号用電極５８〜６１は信号出力用電極をなしている。
【０１３６】
６２は積層体５２の幅方向の両端側にそれぞれ設けられた接地用電極で、該接地用電極６２は、導電性金属材料によって形成され、接地導体５７の電極部５７Ａに接続されている。
【０１３７】
かくして、このように構成される本実施の形態でも、前記第１の実施の形態とほぼ同様の作用効果を得ることができる。しかし、本実施の形態では、複数層の伝送線路５３〜５６は互いに異なる信号用電極５８〜６１に接続するから、複数層の伝送線路５３〜５６をそれぞれ個別にローパスフィルタとして作動させることができ、全体としてノイズフィルタアレイを構成することができる。
【０１３８】
また、第３の実施の形態のように同一層に複数の伝送線路３３〜３６，３７〜４０を形成し、これら複数層の伝送線路３３〜３６，３７〜４０を接続した場合には、ローパスフィルタの個数を増加させるに従って、磁性体シート３２ａ〜３２ｊの面積を増加させる必要がある。このため、ノイズフィルタ３１に多数のローパスフィルタを設けた場合には、ノイズフィルタ３１は大型化し易い傾向がある。
【０１３９】
これに対し、本実施の形態では、複数層の伝送線路５３〜５６は各層毎にそれぞれ独立したローパスフィルタを構成するから、ローパスフィルタの個数を増加させる場合であっても、磁性体シート５２ａ〜５２ｊの枚数を増加すれば足りる。このため、ノイズフィルタ５１内に多数のローパスフィルタを設けた場合であっても、ノイズフィルタ５１を小型化することができる。
【０１４０】
また、第３の実施の形態のように複数層の伝送線路３３〜３６，３７〜４０をスルーホール３３Ｂ〜３５Ｂ，３７Ｂ〜３９Ｂ（貫通線路）を用いて接続した場合には、不連続点となるスルーホール３３Ｂ〜３５Ｂ，３７Ｂ〜３９Ｂ近傍でインピーダンスの不整合が生じ易い。さらに、スルーホール３３Ｂ〜３５Ｂ，３７Ｂ〜３９Ｂの穴加工や貫通線路用の導電性ペーストの充填等を行う必要があり、製造工程が増加し、製造コストが高くなる傾向がある。
【０１４１】
これに対し、本実施の形態では、複数層の伝送線路５３〜５６は各層毎にそれぞれ独立したローパスフィルタとして作動するから、伝送線路５３〜５６の途中でインピーダンスの不整合が生じることがない。このため、伝送線路５３〜５６の途中でノイズに反射が生じることがなく、ノイズの共振を抑制することができると共に、外部の回路に対してインピーダンス整合を容易に取ることができる。また、本実施の形態では、スルーホールの穴加工等を行う必要がないから、第３の実施の形態に比べて、製造工程を簡略化することができ、製造コストを低減することができる。
【０１４２】
また、第３の実施の形態のように、同一層に複数の伝送線路３３〜３６，３７〜４０を形成した場合には、隣合う伝送線路３３〜３６，３７〜４０間でクロストークが生じ易い傾向があり、信号が劣化し易い。
【０１４３】
これに対し、本実施の形態では、伝送線路５３〜５６間には接地導体５７が設けられているから、接地導体５７によって隣合う伝送線路５３〜５６間でのクロストークを防ぐことができ、信号を確実に伝搬することができる。
【０１４４】
また、第３の実施の形態のように、複数層の伝送線路３３〜３６，３７〜４０をスルーホール３３Ｂ〜３５Ｂ，３７Ｂ〜３９Ｂ（貫通線路）を用いて接続した場合には、貫通線路との接触を避けるために接地導体４１にもスルーホール３３Ｂ〜３５Ｂ，３７Ｂ〜３９Ｂと中心として直径１００μｍ程度の穴を設ける必要がある。この場合、穴の周囲には伝送線路を配置することができないから、１枚の磁性体シートに対して伝送線路が形成可能な面積が減少して、伝送線路が短くなり、ノイズの減衰量が低下し易い。
【０１４５】
これに対し、本実施の形態では、磁性体シート５２ａ〜５２ｊにはスルーホールが設けられていないから、伝送線路５３〜５６は磁性体シート５２ａ〜５２ｊの全面に亘って配置することができる。このため、伝送線路５３〜５６の長さ寸法を長くすることができ、ノイズの減衰量を増加させることができる。
【０１４６】
また、第３の実施の形態のように、複数層の伝送線路３３〜３６，３７〜４０を積層体３２の厚さ方向で接続した場合には、伝送線路３３〜３６，３７〜４０が接触しないようにするために、例えば入力用の信号用電極４２と出力用の信号用電極４２は互いに対向した位置に配置する必要があると共に、入力用の信号用電極４３と出力用の信号用電極４３も互いに対向した位置に配置する必要がある。
【０１４７】
これに対し、本実施の形態では、複数層の伝送線路５３〜５６は各層毎にそれぞれ独立しているから、入力用の信号用電極５８〜６１と出力用の信号用電極５８〜６１とは互いに対向する必要がない。このため、例えば入力用の信号用電極５８〜６１を積層体５２の幅方向の一側から他側に向けて順次配置するのに対して、入力用の信号用電極５８〜６１を積層体５２の幅方向の他側から一側に向けて順次配置することもできる。これにより、入力用の信号用電極５８〜６１と出力用の信号用電極５８〜６１とは、独立して配置することができるから、設計自由度を高めることができる。
【０１４８】
さらに、本実施の形態では、複数層の伝送線路５３〜５６は各層毎にそれぞれ独立したローパスフィルタを構成するから、磁性体シート５２ｂ〜５２ｉの厚さ寸法を異なる値に設定することによって、それぞれのローパスフィルタの特性インピーダンスを容易に相違させることができる。このため、本実施の形態によるノイズフィルタ５１は、複数種類の特性インピーダンスをもった配線に対しても容易に適用することができる。
【０１４９】
なお、前記第４の実施の形態では、伝送線路５３〜５６をジクザグ状に形成するものとした。しかし、本発明はこれに限らず、例えば図２２に示す第２の変形例のように両端側が電極部７１Ａとなった渦巻き状の伝送線路７１を形成してもよい。
【０１５０】
また、遮断周波数が高い場合のように、伝送線路の長さ寸法が短い場合には、図２３に示す第３の変形例のように、直線状の伝送線路５３′〜５６′を形成してもよい。
【０１５１】
さらに、前記第４の実施の形態では、伝送線路５３〜５６は同じ幅寸法を有する構成とした。しかし、本発明はこれに限らず、図２４に示す第４の変形例のように、伝送線路５３″〜５６″は互いに異なる幅寸法を有する構成としてもよい。
【０１５２】
これにより、複数層の伝送線路５３″〜５６″は互いに異なる特性インピーダンスを有するから、複数種類の特性インピーダンスをもった配線に対しても各層の伝送線路５３″〜５６″をインピーダンス整合させた状態で接続することができる。また、伝送線路５３″〜５６″は互いに異なる特性インピーダンスを有するから、各伝送線路５３″〜５６″を独立して用いるときには、伝送線路５３″〜５６″の層数に応じて４種類の特性インピーダンスをもったローパスフィルタを形成することができる。
【０１５３】
これに加えて、複数層の伝送線路５３″〜５６″うち２層〜３層または全ての層（４層）の伝送線路を並列接続して用いるときには、特性インピーダンスを例えば１０種類増加させることができる。このため、伝送線路５３″〜５６″の特性インピーダンスを全て同じ値に設定したときに比べて、特性インピーダンスの種類を増やすことができるから、適用可能となる配線の種類を増やすことができる。
【０１５４】
なお、第４の変形例では、伝送線路５３″〜５６″の幅寸法を互いに相違させて伝送線路５３″〜５６″を互いに異ならせる構成とした。しかし、本発明はこれに限らず、例えば磁性体シート５２ｂ〜５２ｉの厚さ寸法を互いに相違させる構成としてもよく、伝送線路５３″〜５６″の幅寸法と磁性体シート５２ｂ〜５２ｉの厚さ寸法の両方を相違させる構成としてもよい。
【０１５５】
次に、図２５および図２６は本発明の第５の実施の形態によるノイズフィルタを示し、本実施の形態によるノイズフィルタの特徴は、磁性体シートと、該磁性体シートの表面に形成された伝送線路と、前記磁性体シートの裏面に形成され該伝送線路を裏面側から全長に亘って覆う接地導体とによって構成したことにある。
【０１５６】
８１は本実施の形態によるノイズフィルタで、該ノイズフィルタ８１は後述する磁性体シート８２ａ〜８２ｃ、伝送線路８３、接地導体８５、信号用電極８６、接地用電極８７によって大略構成されている。
【０１５７】
８２はノイズフィルタ１の外形を構成する略角柱状の積層体で、該積層体８２は、３枚の磁性体シート８２ａ〜８２ｃを焼成することによって形成され、各磁性体シート８２ａ〜８２ｃは、第１の実施の形態と同様に例えばフェライト等を用いて略四角形（長方形）の板状に形成されている。
【０１５８】
８３は磁性体シート８２ｂの表面に配設された伝送線路で、該伝送線路８３は、渦巻き状をなすコイル部８３Ａと、該コイル部８３Ａの外周側と中心側とにそれぞれ接続され積層体８２の長さ方向両端面に向けて延びる電極部８３Ｂ，８３Ｃとによって構成されている。また、コイル部８３Ａと電極部８３Ｃとの間には磁性体シート８２ｂと同様のフェライト等からなる絶縁膜８４が設けられ、該絶縁膜８４を挟んでコイル部８３Ａと電極部８３Ｃは重なり合っている。
【０１５９】
そして、伝送線路８３は、第１の実施の形態と同様に導電性金属材料によって形成され、後述する接地導体８５によってその裏面側が略全長に亘って覆われると共に、電極部８３Ｂ，８３Ｃが後述の信号用電極８６にそれぞれ接続されている。
【０１６０】
８５は磁性体シート８２ｂの裏面側（磁性体シート８２ｂ，８２ｃ間）に設けられた接地導体で、接地導体８５は、導電性金属材料を用いて略四角形の平板状に形成され、磁性体シート８２ｂの裏面側を略全面に亘って覆っている。さらに、接地導体８５のうち略四角状をなす磁性体シート８２ｂの長さ方向中間位置には、幅方向両端側に向けて舌状に突出して延びる電極部８５Ａが設けられ、該電極部８５Ａは後述の接地用電極８７に接続されている。
【０１６１】
８６は積層体８２（磁性体シート８２ａ〜８２ｃ）の長さ方向両端側にそれぞれ設けられた信号用電極で、該信号用電極８６は、積層体８２のうち長さ方向の端面およびその周囲を覆って形成され、伝送線路８３の電極部８３Ｂ，８３Ｃに接続されている。
【０１６２】
８７は積層体８２の長さ方向中間位置で幅方向の両端側にそれぞれ設けられた接地用電極で、該接地用電極８７は、積層体８２の側面（幅方向の端面）に形成され、接地導体８５の電極部８５Ａに接続されている。
【０１６３】
かくして、本実施の形態では、磁性体シート８２ｂの表面に伝送線路８３を形成すると共に、該伝送線路８３の裏面側を磁性体シート８２ｂの裏面に形成された接地導体８５を用いて全長に亘って覆う構成としたから、第１の実施の形態と同様に、磁性体シート８２ｂ等の熱損失を利用してノイズを抑制することができる。
【０１６４】
また、伝送線路８３の幅寸法、磁性体シート８２ｂの厚さ寸法を適宜設定することによって、ノイズフィルタの特性インピーダンスを設定することができると共に、該特性インピーダンスを信号の周波数に依らずほぼ一定値に保持することができる。このため、ほぼ全ての周波数領域についてノイズフィルタに接続される回路に対するインピーダンス整合を取ることができ、ノイズフィルタの反射損失を低下させることができる。
【０１６５】
さらに、接地導体８５によって伝送線路８３を裏面側から全長に亘って覆うから、伝送線路８３の全長に亘って特性インピーダンスを一定値に設定でき、伝送線路８３の途中でノイズが反射するのを防止でき、ノイズの共振を抑制することができる。
【０１６６】
また、伝送線路８３を渦巻き状に形成したから、伝送線路８３によって形成される磁束を互いに足し合わせることができる。これにより、伝送線路８３を直線状またはジグザグ状に形成した場合に比べて、伝送線路８３のインダクタンスを大きくすることができると共に、特性インピーダンスを大きくすることができる。このため、例えばデジタル回路で用いられる配線のように特性インピーダンスが比較的大きな値（１００Ω〜１５０Ω）となる場合でも、このような配線とインピーダンス整合可能なノイズフィルタ８１を形成することができる。
【０１６７】
さらに、磁性体シート８２ｂ（積層体８２）の長さ方向両端側には伝送線路８３の両端に接続された信号用電極８６を設け、該磁性体シート８２ｂの長さ方向中間位置で幅方向の両端面側には接地導体８５に接続された接地用電極８７を設けたから、信号用電極８６、接地用電極８７を配線、接地端子にそれぞれ容易に接続することができ、ノイズフィルタ８１の組付け性を向上することができる。
【０１６８】
また、四角形状の磁性体シート８２ｂに対して信号用電極８６と接地用電極８７をそれぞれ異なる端面に設けたから、例えば実開平６−４４２２８号公報に示すようにこれらを同じ端面に配置した場合に比べてノイズフィルタ８１の外形を細長い形状に形成できる。このため、例えばバスライン等のように多数の配線が狭い間隔寸法をもって平行に配置されるときでも、各配線に対して容易にノイズフィルタ８１を適用することができる。
【０１６９】
なお、前記第５の実施の形態では、伝送線路８３は渦巻き状に形成するものとしたが、例えば図２７に示す第５の変形例のように伝送線路８３′は蛇行したジグザグ状に形成してもよい。
【０１７０】
この場合、伝送線路８３′を直線状に形成した場合に比べて、その長さ寸法を増加させることができ、ノイズの減衰量を増加させることができる。また、第５の実施の形態のように伝送線路８３を渦巻き状に形成した場合に比べて、ノイズフィルタ８１′の幅寸法を小さくすることができ、多数の配線が平行に配置されたバスライン等に対して容易に適用することができる。
【０１７１】
また、図２８に示す第６の変形例のように接地導体４″の厚さ寸法Ｔ１を伝送線路３″の厚さ寸法Ｔ２よりも薄く形成してもよい。これにより、ノイズフィルタ１全体の厚さ寸法を薄くすることができ、小型化を図ることができる。また、伝送線路３″の厚さ寸法Ｔ２を接地導体４″の厚さ寸法Ｔ１に比べて厚くすることができるから、伝送線路３″の直流抵抗を小さくすることができ、より大きな電流を流すことができる。
【０１７２】
さらに、前記各実施の形態では、磁性体シート２ａ〜２ｄ，１２ａ〜１２ｎ，３２ａ〜３２ｊ，５２ａ〜５２ｊ，８２ａ〜８２ｃをフェライト等のセラミックス材料によって形成し、これらを焼成する構成とした。しかし、本発明はこれに限らず、磁性体シートを樹脂材料にカルボニル鉄等の磁性粉を混入して形成してもよい。これにより、磁性体シートを接着剤を用いて接合することによって、ノイズフィルタを形成することができ、焼成等の製造工程を省くことができ、生産性を向上させることができる。なお、この場合、ノイズフィルタの遮断周波数は混入する磁性粉の組成および樹脂材料と磁性粉との割合および伝送線路の長さ寸法によって設定されるものである。
【０１７３】
【発明の効果】
以上詳述した通り、請求項１の発明によれば、２枚の磁性体シート間に伝送線路を設けると共に、これらの磁性体シートを２枚の接地導体によって挟む構成としたから、磁性体シートの熱損失を用いることによってノイズを抑制することができる。また、伝送線路の特性インピーダンスを信号の周波数に依らずほぼ一定値に保持することができるから、外部の回路とのインピーダンス整合を容易に取ることができ、ノイズフィルタの反射損失を低下させ、ノイズの増幅を防止することができる。
【０１７４】
さらに、２枚の磁性体シートを２枚の接地導体によって挟む構成としたから、伝送線路を通過する信号を２枚の接地導体間に閉じ込めることができ、通過帯域での信号の減衰を防止できると共に、外部からの伝送線路中にノイズが混入するのを防ぐことができ、信号を確実に伝達することができる。
【０１７５】
請求項２の発明によれば、重なり合う複数枚の磁性体シートの最上層と最下層とに接地導体を配置する状態で、前記各磁性体シート間に伝送線路と接地導体とを交互に積み重ね、複数層の伝送線路を直列接続する構成としたから、請求項１とほぼ同様な効果を得ることができる。
【０１７６】
また、各層の伝送線路の幅寸法、各磁性体シートの厚さ寸法をほぼ等しい値に設定することによって、積層された複数層の伝送線路での特性インピーダンスを相互にほぼ一致させることができるから、外部の回路とのインピーダンス整合を容易に取ることができる。さらに、各磁性体シートを貫通して設けた貫通線路によって各組の伝送線路を直列接続したから、伝送線路の全長を長くすることができ、伝送線路を通過するノイズの減衰量を増加させることができる。
【０１７７】
請求項３の発明によれば、伝送線路は略コ字状または円弧状をなし、これらの全体によって厚さ方向に対してコイル状に形成したから、ノイズフィルタの底面積をコイルの開口面積と同程度に設定することができる。このため、狭い設置場所に対してもノイズフィルタを配置することができる。
【０１７８】
請求項４の発明によれば、伝送線路を蛇行したジグザグ状に形成したから、伝送線路を直線状に形成した場合に比べて、その長さ寸法を増加させることができ、ノイズの減衰量を増加させることができる。
【０１７９】
請求項５の発明によれば、磁性体シートは略四角状に形成し、該磁性体シートの長さ方向両端側には前記伝送線路の両端に接続された信号用電極を設け、該磁性体シートの長さ方向中間位置には前記接地導体に接続された接地用電極を設ける構成としたから、直線状に延びる配線の途中に磁性体シートの長さ方向両端側に位置する信号用電極を容易に接続することができる。また、磁性体シートの長さ方向中間位置に設けられた接地用電極も配線の周辺に設けられた接地端子に容易に接続することができるから、ノイズフィルタの組付け性を向上することができる。
【０１８０】
請求項６の発明によれば、重なり合う複数枚の磁性体シートの最上層と最下層とに接地導体を配置する状態で、前記各磁性体シート間に伝送線路と接地導体とを交互に積み重ねると共に、複数層の伝送線路を互いに異なる信号入力用電極、信号出力用電極に接続したから、複数層の伝送線路を各層毎にそれぞれ個別にローパスフィルタとして作動させることができる。このため、伝送線路の途中でインピーダンス不整合が生じることがなく、伝送線路の途中からのノイズの反射を抑制することができる。また、磁性体シートの枚数を増加することによってローパスフィルタの個数を増加させることができ、多数のローパスフィルタを有するノイズフィルタを小型化しつつ形成することができる。さらに、磁性体シートにスルーホール等を形成する必要がないから、製造工程を簡略化することができ、製造コストを低減することができる。
【０１８１】
請求項７，８の発明によれば、伝送線路を蛇行したジグザグ状または渦巻き状に形成したから、伝送線路を直線状に形成した場合に比べて、その長さ寸法を増加させることができ、ノイズの減衰量を増加させることができる。
【０１８２】
請求項９の発明によれば、複数層の伝送線路は互いに異なる特性インピーダンスを有する構成としたから、複数種類の特性インピーダンスをもった配線に対しても各層の伝送線路をインピーダンス整合させた状態で接続することができる。また、複数層のうち一部の層または全ての層の伝送線路を並列接続することによって、特性インピーダンスの種類数を増加させることができ、ノイズフィルタが適用可能となる配線の種類を増やすことができる。
【０１８３】
請求項１０の発明によれば、磁性体シートの比透磁率μｒを４≦μｒ≦３０の範囲内に設定すると共に、Ｌ／√（μｒ−１）≧３となるように伝送線路の長さ寸法Ｌを設定したから、遮断周波数の範囲を容易に実用的な周波数帯である２００ＭＨｚ≦ｆｃ≦２ＧＨｚの範囲内に設定することができる。また、磁性体シートの比透磁率μｒを４≦μｒ≦３０の範囲に設定し、Ｌ／√（μｒ−１）≧３に設定したから、ノイズの減衰曲線の傾きを例えば２０ｄＢ／ｄｅｃ．以上にすることができ、信号とノイズとの減衰量の差を大きくすることができる。
【０１８４】
また、請求項１１の発明によれば、磁性体シートと、該磁性体シートの表面に形成された伝送線路と、前記磁性体シートの裏面に形成され該伝送線路を裏面側から全長に亘って覆う接地導体とによって構成としたから、磁性体シートの熱損失を利用して伝送線路を通過する信号のノイズを抑制することができる。また、伝送線路の幅寸法、磁性体シートの厚さ寸法を適宜設定することによって、ノイズフィルタの特性インピーダンスを設定することができると共に、特性インピーダンスを信号の周波数に依らずほぼ一定値に保持することができる。このため、ほぼ全ての周波数領域についてノイズフィルタに接続される回路に対するインピーダンス整合を取ることができ、ノイズフィルタの反射損失を低下させることができる。さらに、接地導体によって伝送線路を裏面側から全長に亘って覆うから、伝送線路の全長に亘って特性インピーダンスを一定値に設定でき、ノイズの反射、共振を抑制することができる。
【０１８５】
請求項１２の発明によれば、伝送線路を渦巻き状に形成したから、伝送線路によって形成される磁束を互いに足し合わせることができ、インダクタンスを大きくすることができると共に、特性インピーダンスを大きくすることができる。
【０１８６】
請求項１３の発明によれば、伝送線路は蛇行したジグザグ状に形成したから、伝送線路を直線状に形成した場合に比べて、その長さ寸法を増加させることができ、ノイズの減衰量を増加させることができる。
【０１８７】
請求項１４の発明によれば、磁性体シートは四角状に形成し、該磁性体シートの長さ方向両端側には前記伝送線路の両端に接続された信号用電極を設け、該磁性体シートの長さ方向中間位置には前記接地導体に接続された接地用電極を設けたから、信号用電極、接地用電極を配線、接地端子にそれぞれ容易に接続することができ、ノイズフィルタの組付け性を向上することができる。また、四角形状の磁性体シートに対して信号用電極と接地用電極とをそれぞれ異なる端面に設けたから、これらを同じ端面に配置した場合に比べてノイズフィルタの外形を細長い形状に形成できる。このため、多数の配線が平行に配置されるバスライン等に対しても容易に適用することができる。
【０１８８】
請求項１５の発明によれば、接地導体の厚さ寸法を前記伝送線路の厚さ寸法よりも薄く形成したから、ノイズフィルタ全体の厚さ寸法を薄くすることができ、小型化を図ることができる。また、伝送線路の厚さ寸法を接地導体に比べて厚くすることができるから、伝送線路の直流抵抗を小さくすることができ、より大きな電流を流すことができる。
【０１８９】
請求項１６の発明によれば、磁性体シートは磁性特性をもったセラミックス材料によって形成したから、磁性体シートを重ね合わせた状態で焼成することによってノイズフィルタを形成することができる。この場合、請求項１７の発明のように、磁性体シートを焼結したフェライトによって形成することが好ましい。
【０１９０】
請求項１８の発明によれば、磁性体シートは磁性粉を混入した樹脂材料によって形成したから、磁性体シートを接着剤を用いて接合することによって、ノイズフィルタを形成することができ、焼成等の製造工程を省くことができ、生産性を向上させることができる。
【図面の簡単な説明】
【図１】第１の実施の形態によるノイズフィルタを示す斜視図である。
【図２】本発明の第１の実施の形態によるノイズフィルタを分解して示す分解斜視図である。
【図３】ノイズフィルタを図１中の矢示ＩＩＩ−ＩＩＩ方向からみた断面図である。
【図４】ノイズフィルタを図３中の矢示ＩＶ−ＩＶ方向からみた断面図である。
【図５】ノイズフィルタを図４中の矢示Ｖ−Ｖ方向からみた断面図である。
【図６】磁性体シートの比透磁率μｒを１０に設定したときの信号の周波数と減衰量との関係を示す特性線図である。
【図７】伝送線路の長さ寸法Ｌを５０ｍｍに設定したときの信号の周波数と減衰量との関係を示す特性線図である。
【図８】定数Ｃを２０ｍｍに設定したときの信号の周波数と減衰量との関係を示す特性線図である。
【図９】定数Ｃを３ｍｍに設定したときの信号の周波数と減衰量との関係を示す特性線図である。
【図１０】定数Ｃと減衰曲線の傾きとの関係を示す特性線図である。
【図１１】遮断周波数ｆｃと磁性体シートの比透磁率μｒとの関係を示す特性線図である。
【図１２】第２の実施の形態によるノイズフィルタを示す斜視図である。
【図１３】第２の実施の形態によるノイズフィルタを分解して示す分解斜視図である。
【図１４】ノイズフィルタを図１２中の矢示ＸＩＶ−ＸＩＶ方向からみた断面図である。
【図１５】ノイズフィルタを図１４中の矢示ＸＶ−ＸＶ方向からみた断面図である。
【図１６】第１の変形例によるノイズフィルタを示す図５と同様な位置からみた断面図である。
【図１７】第３の実施の形態によるノイズフィルタを示す斜視図である。
【図１８】第３の実施の形態によるノイズフィルタを分解して示す分解斜視図である。
【図１９】第４の実施の形態によるノイズフィルタを示す斜視図である。
【図２０】第４の実施の形態によるノイズフィルタを分解して示す分解斜視図である。
【図２１】図２０中の第４の伝送線路を示す平面図である。
【図２２】第２の変形例による伝送線路を示す平面図である。
【図２３】第３の変形例によるノイズフィルタを分解して示す分解斜視図である。
【図２４】第４の変形例によるノイズフィルタを分解して示す分解斜視図である。
【図２５】第５の実施の形態によるノイズフィルタを示す斜視図である。
【図２６】第５の実施の形態によるノイズフィルタを分解して示す分解斜視図である。
【図２７】第５の変形例によるノイズフィルタを示す図２６と同様の分解斜視図である。
【図２８】第６の変形例によるノイズフィルタを示す図３と同様な位置からみた断面図である。
【符号の説明】
１，１１，３１，５１，８１　ノイズフィルタ
２ａ〜２ｄ，１２ａ〜１２ｎ，３２ａ〜３２ｊ，５２ａ〜５２ｊ，８２ａ〜８２ｃ　磁性体シート
３，１３〜１８，３３〜３６，３７〜４０，５３，５４，５５，５６，７１，３′，３″，５３′，５４′，５５′，５６′，５３″，５４″，５５″，５６″，８３，８３′　伝送線路
４，４″，１９，４１，５７，８５　接地導体
２０〜２４　貫通線路
５，２５，４２，４３，５８，５９，６０，６１，８６　信号用電極
６，２６，４４，６２，８７　接地用電極
【図１】
2004048090.tif 000008
【図２】
2004048090.tif 000009
【図３】
2004048090.tif 000010
【図４】
2004048090.tif 000011
【図５】
2004048090.tif 000012
【図６】
2004048090.tif 000013
【図７】
2004048090.tif 000014
【図８】
2004048090.tif 000015
【図９】
2004048090.tif 000016
【図１０】
2004048090.tif 000017
【図１１】
2004048090.tif 000018
【図１２】
2004048090.tif 000019
【図１３】
2004048090.tif 000020
【図１４】
2004048090.tif 000021
【図１５】
2004048090.tif 000022
【図１６】
2004048090.tif 000023
【図１７】
2004048090.tif 000024
【図１８】
2004048090.tif 000025
【図１９】
2004048090.tif 000026
【図２０】
2004048090.tif 000027
【図２１】
2004048090.tif 000028
【図２２】
2004048090.tif 000029
【図２３】
2004048090.tif 000030
【図２４】
2004048090.tif 000031
【図２５】
2004048090.tif 000032
【図２６】
2004048090.tif 000033
【図２７】
2004048090.tif 000034
【図２８】
2004048090.tif 000035